(57)【特許請求の範囲】
【請求項１】
レンズ開口を備えている基板と、上記基板に沿って中立位置から所定の角度で変位可能に設けてある駆動部材と、
上記レンズ開口よりも小径の中間絞り開口を有し、上記駆動部材によって上記レンズ開口を覆う位置と退避する位置とに変位可能に設けてある第１の絞り羽根と、
上記中間絞り開口よりも小径の最小絞り開口を有し、上記駆動部材によって上記レンズ開口を覆う位置と退避する位置とに変位可能に設けてある第２の絞り羽根とを備え、
上記駆動部材が中立位置になっているときには、上記第１の絞り羽根及び上記第２の絞り羽根はいずれも上記レンズ開口に対して無遮蔽状態となり、
上記第１の絞り羽根及び上記第２の絞り羽根は、いずれか一方が上記レンズ開口の一部を覆うときは、他方が上記レンズ開口の他部を覆うように構成しており、
上記第１の絞り羽根及び上記第２の絞り羽根には、一方の絞り羽根の絞り開口が上記レンズ開口の中央部と重なる位置で上記一方の絞り羽根の回動が停止する時に連動して、他方の絞り羽根を対向方向に回動させる連動部材が、上記各絞り羽根の回転中心と同軸に設けてある
ことを特徴とする絞り装置。
【発明の詳細な説明】
【０００１】
【発明の技術分野】
本発明は、カメラの絞り装置に関するものである。
【０００２】
【従来の技術】
周知の通り、カメラの絞り装置は開口面積の小さいものを大きな数値で示し、開口面積の大きいものを小さな数値で示しており、最大開口面積（開放絞り）と最小開口面積（最小絞り）との間を段階的に分けて、所望の絞り開口を選択可能としてある。
【０００３】
通常のカメラではこの絞り値は８〜１０段階に設定してあるが、最近の低価格カメラや電子式カメラ（デジタルカメラ）では、絞り機構を簡単化するために絞り値を３段階程度に限定した絞り装置が採用されている。
【０００４】
このように絞り値の段階を少なくした絞り装置の従来例を、図４により説明する。レンズ開口４１は、図示しない基板に形成され最大絞り開口を構成する。第１絞り羽根４３及び第２絞り羽根４４は、レンズ開口４１の外周で軸４３ａ及び４４ａに回動自在に取り付けられ、それぞれ中間絞り開口４３ｂ及び最小絞り開口４４ｂを備えている。駆動レバー４２は、駆動軸４２ａにより中立位置から左右方向に回動自在に取り付けられており、先端に固定された駆動ピン４２ｂにより第１絞り羽根４３及び第２絞り羽根４４を作動する。
【０００５】
第１絞り羽根４３はレンズ開口４１から退避した状態では、レンズ開口４１から完全に退避しており、また、中間絞り開口４３ｂを使用する状態では、レンズ開口４１を制限し、レンズ開口４１の全域を覆う形状に構成されている。第２絞り羽根４４も上記の第１絞り羽根４３の構成と同様である。
【０００６】
【発明が解決しようとする課題】
上記の従来技術では、絞り装置を３段階に限定するようにしたものであるが、第１及び第２の絞り羽根４３および４４がレンズ開口４１から退避するためのスペースが必要であり、レンズ開口４１の外周部分のスペースが大きくなり、絞り装置全体が大型化するという問題点がある。そのためカメラに応用した場合にコンパクト化の障害となる。
【０００７】
【課題を解決するための手段】
上記の問題点を解決するために本発明の絞り装置は、レンズ開口を備えている基板と、基板に沿って中立位置から所定の角度で変位可能に設けてある駆動部材と、レンズ開口よりも小径の中間絞り開口を有し、駆動部材によってレンズ開口を覆う位置と退避する位置とに変位可能に設けてある第１の絞り羽根と、中間絞り開口よりも小径の最小絞り開口を有し、駆動部材によってレンズ開口を覆う位置と退避する位置とに変位可能に設けてある第２の絞り羽根とを備えている。そして、駆動部材が中立位置になっているときには、第１の絞り羽根及び第２の絞り羽根はいずれもレンズ開口に対して無遮蔽状態となり、第１の絞り羽根及び第２の絞り羽根は、いずれか一方がレンズ開口の一部を覆うときは、他方がレンズ開口の他部を覆うように構成してあることを特徴としている。この構成により、両絞り羽根を、単独ではレンズ開口の全域を覆えないが両絞り羽根の協働によってレンズ開口の全域を覆える程度に小形にでき、レンズ開口が無遮蔽状態のときにも、レンズ開口の外周部分のスペースが少なくてすみ、コンパクト化を達成できる。
【０００８】
また、第１の絞り羽根及び第２の絞り羽根には、各絞り羽根の回転中心と同軸に、一方の絞り羽根の回動に連動して他方の絞り羽根を対向方向に回動させる連動部材が設けてある。この構成により、他方の絞り羽根を連動駆動するための特別な駆動手段が不要で、構成を簡単にできる。
【０００９】
【発明の実施の形態】
本発明の実施の一形態を図面に基づいて説明する。
図１は絞り装置が原位置に静止している状態を示すものであるが、要部以外の他の要素は省略して示してある。なお、ここでは図面の上下左右で位置関係を示すものとする。
【００１０】
図示されていないシャッタ基板に設けてあるレンズ開口１の下方には、図示しない絞り羽根用のモータによって駆動される駆動軸２ａが設けてある。この駆動軸２ａに、シャッタ基板面に沿って、中立位置から左右方向に所定の角度範囲で回動可能な駆動部材としての駆動レバー２の一端部が固定されている。駆動レバー２はレンズ開口１に向って延伸しており、その先端部に後述の絞り羽根３及び４を回動させる駆動ピン２bが設けてある。
【００１１】
シャッタ基板には、第１の絞り羽根軸３ａが立設させてあり、この軸にレンズ開口１を規制するための、レンズ開口１より小径の中間絞り開口３ｂを有する第１の絞り羽根３が、回動自在に取り付けてある。またシャッタ基板には、第２の絞り羽根軸４ａが立設させてあり、この軸にレンズ開口１を規制するための、中間絞り開口３ｂよりさらに小径の最小絞り開口４ｂを有する第２の絞り羽根４が、回動自在に取り付けてある。第１の絞り羽根３及び第２の絞り羽根４は、薄板で構成されるものである。
【００１２】
シャッタ基板の上面側に位置する第１の絞り羽根３は、第１突起部３ｃが駆動ピン２ｂの外周部に係合するように形成されていると共に、連動部材を構成する第２突起部３ｄと第３突起部３ｅが設けてある。下面側に位置する第２の絞り羽根４は、第１突起部４ｃが駆動ピン２ｂの外周部に係合するように形成されていると共に、連動部材を構成する第２突起部４ｄと第３突起部４ｅが設けてある。前記の第１及び第３突起部は、いずれも羽根の部分よりも肉厚に形成されている。第２突起部４ｄは、第１及び第３突起部よりも薄肉に形成されている。このため、図２に示すように絞り羽根３，４が回動したとき第２突起部４ｄの下に絞り羽根３が入り込むことができるようになっている。
【００１３】
第１の絞り羽根３の羽根の部分の形状は、レンズ開口１から遠い側の外周部３ｆでは、レンズ開口１を覆うように円弧状の形状であるが、レンズ開口１に近い外周部では、一部が切除された切欠部３ｇに形成されている。このために、第１の絞り羽根３のみではレンズ開口１の全域を覆うことができないが、レンズ開口１から退避した位置では、全体としてレンズ開口１に接近した位置にあるので、レンズ開口１の左側の外周部分のスペースは小さくてすむ。第２の絞り羽根４の羽根の部分の形状は、レンズ開口１から遠い側の外周部４ｆでは、レンズ開口１を覆うように円弧状の形状であるが、レンズ開口１に近い外周部では、一部が凹円弧状に切除された切欠部４ｇに形成されている。このために、第２の絞り羽根４のみではレンズ開口１の全域を覆うことができないが、レンズ開口１から退避した位置では、全体としてレンズ開口１に接近した位置にあるので、レンズ開口１の右側の外周部分のスペースは小さくてすむ。
【００１４】
両絞り羽根３及び４の外側には、駆動モータの無通電時にそれぞれの絞り羽根を原位置へ復帰させる復帰ばね５及び６が掛け止めてあり、シャッタ基板に立設したピン７及び８によりそれ以上の回動を阻止されている。この位置が原位置で駆動軸２ａは駆動モータから駆動力を受けない中立位置にあり、第１の絞り羽根３及び第２の絞り羽根４はいずれもレンズ開口１に対して無遮蔽状態となっている。このときがレンズ開口１による最大絞りの状態である。
【００１５】
次に動作について説明する。
図１は初期位置を示しており、駆動レバー２が中立位置になっており、レンズ開口１は各絞り羽根３及び４による無遮蔽状態となっている。従って最大絞り開口(開放絞り)を選択するときには、駆動レバー２を不作動とし、そのままの状態の初期位置で、レンズ開口を閉じている公知のシャッタ羽根（図示しない）を、設定されたシャッタ速度で開閉させることにより、レンズ開口１による露出が行われる。
【００１６】
次に中間絞り開口３ｂを選択するときには、図２に示すように、駆動レバー２を反時計方向に回動させると、駆動ピン２ｂにより第１突起部３ｃを押して第１の絞り羽根３を時計方向に回動させる。駆動レバー２の回動角は、中間絞り開口３ｂがレンズ開口１の中央部と重なる位置で停止するように設定してあるので、レンズ開口１と中間絞り開口３ｂとが重なった図示の状態で停止する。このとき、第２突起部３ｄが第２の絞り羽根４の第３突起部４ｅに係合して第２の絞り羽根４を反時計方向に回動させる。前記のように第１絞り羽根３のレンズ開口１に近い外周は切欠部３ｇであるので、第１の絞り羽根３のみではレンズ開口１の全域を覆うことができないが、第２の絞り羽根４が反時計方向に回動することでレンズ開口１へ向って前進し、これによって第１の絞り羽根３では覆えないレンズ開口１の右端部を覆い、両絞り羽根の協働によりレンズ開口１の全域を覆って中間絞り開口３ｂに規制する。この状態で公知のシャッタ羽根を、設定されたシャッタ速度で開閉させることにより、中間絞り開口３ｂにより絞り込まれた状態で露出が行われる。駆動レバー２を元の中立位置へ戻せば、第１及び第２の絞り羽根３及び４はそれぞれの復帰ばね５及び６により元の図１の位置に復帰する。
【００１７】
次に最小絞り開口７ｄを選択する場合には、図３に示すように、駆動レバー２を時計方向に回動させると、中間絞り開口の場合と同様に、駆動ピン２ｂにより第１突起部４ｃを押して第２の絞り羽根４を反時計方向に回動させる。駆動レバー２の回動角は、最小絞り開口４ｂがレンズ開口１の中央部と重なる位置で停止するように設定してあるので、レンズ開口１と最小絞り開口４ｂとが重なった図示の状態で停止する。このとき、第２突起部４ｄが第１の絞り羽根３の第３突起部３ｅに係合して第１の絞り羽根３を時計方向に回動させる。前記のように第２の絞り羽根４のレンズ開口１に近い外周は切欠部４ｇであるので、第２の絞り羽根４のみではレンズ開口１の全域を覆うことができないが、第１の絞り羽根３が時計方向に回動することでレンズ開口１へ向って前進し、これによって第２の絞り羽根４では覆えないレンズ開口１の左端部を覆い、両絞り羽根の協働によりレンズ開口１の全域を覆って最小絞り開口４ｂに規制する。この状態で公知のシャッタ羽根を設定されたシャッタ速度で開閉させることにより、最小絞り開口４ｂにより絞り込まれた状態で露出が行われる。駆動レバー２を元の中立位置へ戻せば、第１及び第２の絞り羽根３及び４はそれぞれの復帰ばね５及び６により元の図１の位置に復帰する。
【００１８】
上述したように、絞り開口を選択する際の作動は開放絞りの場合には、駆動レバー２を中立状態にしておくだけでよいので、絞りのための作動は不要である。また、中間絞り開口３ｂまたは最小絞り開口４ｂを選択する場合には、最小の面積に形成してある両絞り羽根３及び４を、従来に比べて少ない角度だけ回動させてレンズ開口１を遮蔽可能であれば十分であるので、これを動かすためのエネルギーは少なくなり、さらに、各絞り羽根３、４の面積が小さいものですむので、絞り装置の外形サイズを小さくすることができる。
【００１９】
なお、上記の施例では、各絞り羽根３及び４の絞り開口周辺の羽根部と、第１〜第３突起部を一体にそれぞれ薄板と肉厚部で構成しているが、第２及び第３突起部のみを連動部材として別途構成し、各絞り羽根の回転中心と同軸に支持するように構成してもよい。また、中間絞り開口３ｂの時のみ両方の絞り羽根３及び４の協働によりレンズ開口１の全域を覆うようにし、最小絞り開口４ｂの時には第２の絞り羽根４のみでレンズ開口１の全域を覆うようにしてもよい。またはこの逆に、中間絞り開口３ｂの時は絞り羽根３のみにより、最小絞り開口４ｂの時には第１及び第２の絞り羽根３及び４の協働によりレンズ開口１の全域を覆うようにしてもよい。いずれの場合にも従来に比して外形サイズの小型化は達成できる。さらに、第２及び第３突起部からなる連動部材に代えて、中間部材を別に配置し、または駆動レバー２により直接的または間接的に他方の絞り羽根を駆動してレンズ開口を覆う位置へ変位させるように構成することも可能である。
【００２０】
なお、初期位置において、シャッタ羽根がレンズ開口を閉じており、絞り開口が選択された後にシャッタ羽根が開閉動作を行うものとして説明しているが、本発明はこのようなフィルムに露光する形式のカメラの絞り装置の他に、通常はレンズ開口が開放になっており、絞り開口が選択された後で閉成する形式の電子式カメラの絞り装置等にも適用可能である。
【００２１】
【発明の効果】
本発明によれば、両絞り羽根を、単独ではレンズ開口の全域を覆えないが両絞り羽根の協働によってレンズ開口の全域を覆える程度に小形にしているので、レンズ開口を無遮蔽状態のときに、レンズ開口の外周部分のスペースが少なくてすみ、コンパクト化が達成できる。
また、一方の絞り羽根の回動に連動して他方の絞り羽根を対向方向に回動させる連動部材が設けてあるので、他方の絞り羽根を連動駆動するための特別な駆動手段が不要で、構成を簡単にできる。
【図面の簡単な説明】
【図１】駆動レバーが中立位置になっている状態を示す正面図である。
【図２】第１の絞り羽根が回動して中間絞り開口がレンズ開口と重なった状態を示す正面図である。
【図３】第２の絞り羽根が回動して最小絞り開口がレンズ開口と重なった状態を示す正面図である。
【図４】従来例を示す正面図である。
【符号の説明】
１        レンズ開口
２        駆動部材（駆動レバー）
３        第１の絞り羽根
３ｂ      中間絞り開口
４        第２の絞り羽根
４ｂ      最小絞り開口
【図１】
0004261729.tif 000002
【図２】
0004261729.tif 000003
【図４】
0004261729.tif 000004
【図３】
0004261729.tif 000005